(57)【要約】【課題】「タメ」の歌唱技法を考慮した歌唱軌跡を表示可能なカラオケ装置を提供する。【解決手段】歌唱平均ピッチを算出する歌唱平均ピッチ算出部、歌唱軌跡を表示させる表示制御部、表示制御部に対し、条件（１）〜（３）を満たすと判断した場合に第２ノートに対応する歌唱軌跡の表示を一時停止させる指示を行い、条件（４）及び（５）を満たすと判断した場合、一時停止した時点から当該判断した時点までに算出された歌唱平均ピッチが第２ノートの基準ピッチと等しくなるよう歌唱軌跡の表示を再開させる指示を行う表示調整部を有するカラオケ装置。【選択図】図６Ｄ
2019066555.tif 000002
【特許請求の範囲】
【請求項１】
楽曲のカラオケ歌唱により得られる歌唱音声から所定時間毎に歌唱ピッチを取得し、取得した当該歌唱ピッチを所定数毎に平均した歌唱平均ピッチを算出する歌唱平均ピッチ算出部と、
算出した前記歌唱平均ピッチに基づいて、当該歌唱平均ピッチの時間的な変化を示す歌唱軌跡を表示させる表示制御部と、
前記表示制御部に対し、
ある楽曲に含まれる第１ノートの基準ピッチと当該第１ノートの次のノートである第２ノートの基準ピッチが異なり、当該第２ノートの発音開始タイミング後に最初に算出した第１の時点の前記歌唱平均ピッチが前記第１ノートの基準ピッチと同一であり、且つ前記第１ノートにおける歌唱音声と前記第２ノートにおける歌唱音声とに変化がないと判断した場合、前記第２ノートに対応する前記歌唱軌跡の表示を一時停止させる指示を行い、
前記第１の時点から所定時間経過までに、前記第１の時点以降に算出される前記歌唱平均ピッチが、前記第１ノートの基準ピッチ及び前記第２ノートの基準ピッチを含む所定範囲内に含まれ、且つ前記第２ノートの基準ピッチと近似する歌唱ピッチが取得されたと判断した場合、前記一時停止した時点から当該判断した時点までに算出された前記歌唱平均ピッチが前記第２ノートの基準ピッチと等しくなるよう前記歌唱軌跡の表示を再開させる指示を行う表示調整部と、
を有するカラオケ装置。
【請求項２】
前記表示調整部は、前記表示制御部に対し前記歌唱軌跡の表示を一時停止させる指示を行った後、前記第１の時点から所定時間経過までに、前記第１の時点以降に算出される前記歌唱平均ピッチが、前記第１ノートの基準ピッチ及び前記第２ノートの基準ピッチを含む所定範囲外となるか、前記第２ノートの基準ピッチと近似する歌唱ピッチが取得されなかったと判断した場合、前記第１の時点以降に算出された歌唱平均ピッチに基づいて、前記歌唱軌跡の表示を再開させる指示を行うことを特徴とする請求項１に記載のカラオケ装置。
【請求項３】
前記表示調整部は、前記表示制御部に対し、前記歌唱軌跡の表示を再開させる際、前記一時停止した時点から当該判断した時点までに算出された前記歌唱平均ピッチの歌唱軌跡の表示を一度に行うよう指示を行い、または通常の歌唱軌跡の表示速度よりも速い表示速度で表示するよう指示を行うことを特徴とする請求項１または２記載のカラオケ装置。
【発明の詳細な説明】
【技術分野】
【０００１】
本発明はカラオケ装置に関する。
【背景技術】
【０００２】
カラオケ装置においては、歌唱者のカラオケ歌唱を支援するために、カラオケ楽曲のメロディをガイドする方法がある。たとえば、カラオケ演奏の進行に伴ってガイドメロディデータに基づくガイドメロディを演奏するカラオケ装置がある。歌唱者は、ガイドメロディを参照しながら歌唱することにより、サビしか知らない楽曲等であってもカラオケ歌唱を楽しむことができる。
【０００３】
また、ガイドメロディデータを画像化（ガイドメロディ画像）し、表示画面に表示させるカラオケ装置がある（非特許文献１参照）。ガイドメロディ画像は、たとえば、ガイドメロディデータに含まれるノート（音符）毎に棒状の図形としてカラオケ装置の表示画面に表示される。このような棒状の図形において、縦方向の位置は音高を示し、横方向の長さは音の長さを示している。このようにガイドメロディを画像として提供することにより、歌唱者は視覚的にガイドメロディを把握できる。
【０００４】
更に、非特許文献１のカラオケ装置においては、ガイドメロディ画像と、自己の歌唱音声に基づいて表示される歌唱軌跡とを重ね合わせて表示させることができる。歌唱軌跡は、歌唱音声からサンプリングされる歌唱ピッチに基づいて表示される。このような歌唱軌跡を参照することにより、歌唱者は、ガイドメロディに沿って歌唱ができているかを視覚的に把握できる。
【０００５】
ところで、歌唱者の中には様々な歌唱技法を用いてカラオケ歌唱を行う者もいる。たとえば、楽曲に含まれるあるノートに対し、当該ノートの基準ピッチと同じ高さで当該ノートよりも長く発声する「タメ」と呼ばれる歌唱技法がある。歌唱技法を駆使することにより、当該楽曲を歌唱するプロ歌手の歌唱に近いカラオケ歌唱を行うことができる。
【先行技術文献】
【非特許文献】
【０００６】
【非特許文献１】“精密採点ＤＸ”、［ｏｎｌｉｎｅ］、株式会社第一興商、［平成２９年９月２０日検索］、インターネット＜ＵＲＬ：http://www.clubdam.com/app/damStation/page.do?type=damstation&source=seimitsusaiten#dx&subType=dscontents＞
【発明の概要】
【発明が解決しようとする課題】
【０００７】
一方、非特許文献１のカラオケ装置により歌唱軌跡を表示させる際には、歌唱技法の有無は考慮されていない。従って、図８に示すように、ノートＮ１と次のノートＮ２の基準ピッチが異なる場合に「タメ」の歌唱技法を用いると、ノートＮ１の次のノートＮ２についても、「タメ」の長さの分だけノートＮ１と同じ歌唱ピッチで歌唱軌跡Ｔ（図８における斜線部分）が表示される。従って、ノートＮ２に対応するガイドメロディ画像Ｚ２と歌唱軌跡Ｔにずれが生じる。このように、歌唱技法を駆使してカラオケ歌唱を行った場合、歌唱者や聴衆の聴感上は上手く聞こえるにも関わらず、表示画面上では上手く歌えていないように表示されるため、歌唱者や聴衆が違和感を持つことがあった。
【０００８】
本発明の目的は、「タメ」の歌唱技法を考慮した歌唱軌跡を表示可能なカラオケ装置を提供することにある。
【課題を解決するための手段】
【０００９】
上記目的を達成するための主たる発明は、楽曲のカラオケ歌唱により得られる歌唱音声から所定時間毎に歌唱ピッチを取得し、取得した当該歌唱ピッチを所定数毎に平均した歌唱平均ピッチを算出する歌唱平均ピッチ算出部と、算出した前記歌唱平均ピッチに基づいて、当該歌唱平均ピッチの時間的な変化を示す歌唱軌跡を表示させる表示制御部と、前記表示制御部に対し、ある楽曲に含まれる第１ノートの基準ピッチと当該第１ノートの次のノートである第２ノートの基準ピッチが異なり、当該第２ノートの発音開始タイミング後に最初に算出した第１の時点の前記歌唱平均ピッチが前記第１ノートの基準ピッチと同一であり、且つ前記第１ノートにおける歌唱音声と前記第２ノートにおける歌唱音声とに変化がないと判断した場合、前記第２ノートに対応する前記歌唱軌跡の表示を一時停止させる指示を行い、前記第１の時点から所定時間経過までに、前記第１の時点以降に算出される前記歌唱平均ピッチが、前記第１ノートの基準ピッチ及び前記第２ノートの基準ピッチを含む所定範囲内に含まれ、且つ前記第２ノートの基準ピッチと近似する歌唱ピッチが取得されたと判断した場合、前記一時停止した時点から当該判断した時点までに算出された前記歌唱平均ピッチが前記第２ノートの基準ピッチと等しくなるよう前記歌唱軌跡の表示を再開させる指示を行う表示調整部とを有するカラオケ装置である。
【発明の効果】
【００１０】
本発明によれば、「タメ」の歌唱技法を考慮した歌唱軌跡を表示できる。
【図面の簡単な説明】
【００１１】
【図１】実施形態に係るカラオケ装置のハードウェア構成例を示す図である。
【図２】実施形態に係る装置本体のハードウェア構成例を示す図である。
【図３】実施形態に係る装置本体のソフトウェア構成例を示す図である。
【図４】実施形態に係る記憶部に記憶されるテーブルデータの例を示す図である。
【図５Ａ】実施形態に係るカラオケ装置の表示画面を示す図である。
【図５Ｂ】実施形態に係るカラオケ装置の表示画面を示す図である。
【図５Ｃ】実施形態に係るカラオケ装置の表示画面を示す図である。
【図６Ａ】実施形態に係るカラオケ装置の表示画面を示す図である。
【図６Ｂ】実施形態に係るカラオケ装置の表示画面を示す図である。
【図６Ｃ】実施形態に係るカラオケ装置の表示画面を示す図である。
【図６Ｄ】実施形態に係るカラオケ装置の表示画面を示す図である。
【図６Ｅ】実施形態に係るカラオケ装置の表示画面を示す図である。
【図６Ｆ】実施形態に係るカラオケ装置の表示画面を示す図である。
【図７Ａ】実施形態に係るカラオケ装置の動作を示すフローチャートである。
【図７Ｂ】実施形態に係るカラオケ装置の動作を示すフローチャートである。
【図８】一般的なガイドメロディ画像及び歌唱軌跡の例を示す図である。
【発明を実施するための形態】
【００１２】
図１〜図７Ｂを参照して、本実施形態に係るカラオケ装置１について説明する。
【００１３】
＝＝カラオケ装置＝＝
［ハードウェア構成］
カラオケ装置１は、歌唱者が選曲した楽曲のカラオケ演奏及び歌唱者がカラオケ歌唱を行うための装置である。図１に示すように、カラオケ装置１は、カラオケ本体１０、スピーカ２０、表示装置３０、マイク４０、及びリモコン装置５０を備える。
【００１４】
カラオケ本体１０は、予約登録された楽曲のカラオケ演奏制御、歌詞や背景映像等の表示制御、マイク４０を通じて入力された音声信号の処理といった、カラオケ歌唱に関する各種の制御を行う。図２はカラオケ本体１０のハードウェア構成例を示す図である。カラオケ本体１０は、制御部１１、通信部１２、記憶部１３、音響処理部１４、表示処理部１５及び操作部１６を備える。各構成はインターフェース（図示なし）を介してバスＢに接続されている。
【００１５】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００１６】
通信部１２は、ルーター（図示なし）を介してカラオケ装置１を外部のサーバ（図示なし）等に接続するためのインターフェースを提供する。
【００１７】
記憶部１３は、各種のデータを記憶する大容量の記憶装置である。記憶部１３は、カラオケ装置１によりカラオケ演奏を行うための楽曲データを記憶する。楽曲データは、楽曲毎に所定のＩＤ（楽曲ＩＤ）が付与されている。楽曲データは、ＭＩＤＩデータ、リファレンスデータ等が含まれる。リファレンスデータは、楽曲を構成する各音符の音高及び音長を表す時系列の情報によって構成されている。また、記憶部１３は、楽曲に対応する歌詞テロップを表示装置３０等に表示させるための歌詞テロップデータ、及びカラオケ演奏時に表示装置３０等に表示される背景画像等の背景画像データを記憶する。
【００１８】
また、本実施形態において、記憶部１３はガイドメロディデータを記憶する。ガイドメロディデータは、カラオケ歌唱をガイドするためのガイドメロディを生成するためのデータであり、ガイドメロディを構成する各ノートの音高、音長を表す時系列の情報等によって構成されている。ガイドメロディデータは楽曲毎に設定されている。ガイドメロディの各ノートが示す音高は、各ノートの基準ピッチに相当する。なお、ガイドメロディデータをリファレンスデータとして使用すること（またはリファレンスデータをガイドメロディデータとして使用すること）も可能である。
【００１９】
音響処理部１４は、制御部１１の制御に基づき、カラオケ楽曲に対する演奏の制御およびマイク４０を通じて入力された音声信号の処理を行う。
【００２０】
表示処理部１５は、制御部１１の制御に基づき、表示装置３０における各種表示に関する処理を行う。たとえば、表示処理部１５は、カラオケ演奏時における背景映像に歌詞テロップや各種アイコンが重ねられた映像を表示装置３０に表示させる。また、本実施形態に係る表示処理部１５は、制御部１１の制御に基づいて、カラオケ演奏に伴い表示装置３０にガイドメロディ画像及び歌唱軌跡（いずれも後述）を表示させる。
【００２１】
操作部１６は、パネルスイッチおよびリモコン受信回路などからなり、歌唱者によるカラオケ装置１のパネルスイッチあるいはリモコン装置５０の操作に応じて予約信号、演奏中止信号などの操作信号を制御部１１に対して出力する。制御部１１は、操作部１６からの操作信号を検出し、対応する処理を実行する。
【００２２】
スピーカ２０は、カラオケ本体１０からの放音信号に基づいて放音するための構成である。表示装置３０はカラオケ本体１０からの信号に基づいて映像や画像を画面に表示するための構成である。マイク４０は入力される歌唱者の声（歌唱音声）等をアナログの音声信号に変換してカラオケ本体１０に入力するための構成である。
【００２３】
リモコン装置５０は、カラオケ本体１０に対する各種操作をおこなうための装置である。歌唱者はリモコン装置５０を用いて楽曲の予約等を行うことができる。リモコン装置５０のディスプレイには各種操作の指示入力を行うためのＧＵＩが表示される。
【００２４】
［カラオケ本体のソフトウェア構成］
図３はカラオケ本体１０のソフトウェア構成例を示す図である。カラオケ本体１０は、歌唱平均ピッチ算出部１００、表示制御部２００、及び表示調整部３００を備える。歌唱平均ピッチ算出部１００、表示制御部２００、及び表示調整部３００は、ＣＰＵ１１ａがメモリ１１ｂに記憶されるプログラムを実行することにより実現される。
【００２５】
（歌唱平均ピッチ算出部）
歌唱平均ピッチ算出部１００は、楽曲のカラオケ歌唱により得られる歌唱音声から所定時間毎に歌唱ピッチを取得し、取得した当該歌唱ピッチを所定数毎に平均した歌唱平均ピッチを算出する。
【００２６】
歌唱ピッチの取得は、所定のサンプリング周波数（たとえば数十ｋＨｚ）で、所定時間毎（たとえば、３０ｍｓ毎）に１サンプルずつ行われる。歌唱平均ピッチ算出部１００は、所定数毎（たとえば、３サンプル毎）に、取得した歌唱ピッチの平均を取ることで歌唱平均ピッチを算出する。
【００２７】
なお、歌唱平均ピッチは、平均を取った歌唱ピッチを半音単位で丸めることで算出することが好ましい。丸めるピッチの範囲及び丸めた値（丸めピッチ）は、図４に示すようなテーブル形式で予め記憶部１３に記憶されている。たとえば、連続するサンプルＳ１〜サンプルＳ３の歌唱ピッチを平均した結果が６２９３ｃｅｎｔであったとする。この場合、歌唱平均ピッチ算出部１００は、図４のテーブルを参照し、丸めピッチ６３００ｃｅｎｔをサンプルＳ１〜サンプルＳ３の歌唱平均ピッチとして算出する。
【００２８】
（表示制御部）
表示制御部２００は、カラオケ装置１における各種表示制御を行う。本実施形態に係る表示制御部２００は、少なくともガイドメロディ画像の表示制御及び歌唱軌跡の表示制御を行う。以下、これらの制御について詳述する。図５Ａ〜図５Ｃは、表示装置３０の表示画面を示す。図５Ａ〜図５Ｃにおいて、縦方向は音高を示し、横方向は時間を示している。
【００２９】
＜ガイドメロディ画像の表示制御＞
表示制御部２００は、楽曲のカラオケ歌唱をガイドするためのガイドメロディデータに基づいて、当該楽曲の音高の時間的な変化を示すガイドメロディ画像をノート毎に表示させる。
【００３０】
具体的に、表示制御部２００は、楽曲Ｘが選曲された場合、楽曲Ｘのガイドメロディデータを記憶部１３から読み出す。そして、表示制御部２００は、楽曲Ｘのノート毎に、ガイドメロディデータから音高、発音タイミング、発音時間を特定し、各ノートに対応するガイドメロディ画像を作成する。
【００３１】
たとえば、表示制御部２００は、楽曲ＸのノートＮ１のガイドメロディ画像Ｚ１、及びノートＮ１の次のノートであるノートＮ２のガイドメロディ画像Ｚ２を作成し、表示装置３０に表示させる（図５Ａ参照）。ノートＮ１は「第１ノート」の一例であり、ノートＮ２は「第２ノート」の一例である。また、表示制御部２００は、ガイドメロディ画像上に重ねて表示され、カラオケ演奏の進行に伴ってガイドメロディ画像上を移動するスクロールバーＢを表示させる（図５Ａ参照）。なお、ガイドメロディ画像が表示される上下位置は、各ノートの基準ピッチに基づいて決定される。そして、ガイドメロディ画像は、基準ピッチを中心として上下方向に所定の幅を持って表示される。また、ガイドメロディ画像の長さ（表示画面の横方向の長さ）は、音の長さに相当する。
【００３２】
＜歌唱軌跡の表示制御＞
本実施形態に係る表示制御部２００は、算出した歌唱平均ピッチに基づいて、当該歌唱平均ピッチの時間的な変化を示す歌唱軌跡を表示させる。
【００３３】
図５Ａの例において、楽曲Ｘのカラオケ演奏が開始されると、表示制御部２００は、カラオケ演奏の進行に伴ってスクロールバーＢを表示画面の左側から右側に移動させる。歌唱者は、スクロールバーＢで現在の演奏位置を把握しながら、ガイドメロディ画像を参照してカラオケ歌唱を行う。
【００３４】
歌唱平均ピッチ算出部１００は、カラオケ歌唱により得られる歌唱音声から歌唱ピッチのサンプリングを行う。所定数の歌唱ピッチをサンプリングした場合（図５Ｂ参照）、歌唱平均ピッチ算出部１００は、サンプリングした歌唱ピッチを平均した歌唱平均ピッチを算出する。なお、図５Ｂの矢印は、所定数のサンプリングを行った区間Ｉ１を示している。
【００３５】
表示制御部２００は、歌唱平均ピッチ算出部１００で算出した歌唱平均ピッチに基づいて、区間Ｉ１に対する歌唱軌跡ＴをスクロールバーＢと区間Ｉ１の間隔を保って徐々に表示させる（図５Ｃ参照）。歌唱軌跡Ｔが表示される上下位置は、歌唱平均ピッチに基づいて決定される。そして、歌唱軌跡Ｔは、歌唱平均ピッチを中心として上下方向に所定の幅を持って表示される。なお、図５Ｃでは、歌唱軌跡Ｔがガイドメロディ画像Ｚ１に重畳して表示されている例（ガイドメロディデータの基準ピッチと算出した歌唱平均ピッチとが一致している例）を示している。
【００３６】
歌唱平均ピッチ算出部１００及び表示制御部２００は、カラオケ歌唱の進行に伴って同様の処理を繰り返すことにより、歌唱軌跡を順次スクロールバーＢに追従するように表示させる。
【００３７】
（表示調整部）
表示調整部３００は、表示制御部２００に対し各種指示を行う。具体的に、本実施形態に係る表示調整部３００は、歌唱者が「タメ」の歌唱技法を用いたかどうかを判断し、当該判断に応じて歌唱軌跡の表示を調整する。「タメ」の歌唱技法を用いたか否かは、後述する（１）〜（５）の条件を満たすかどうかにより判断できる。表示制御部２００は、表示調整部３００からの指示に応じて歌唱軌跡の表示を行う。図６Ａ〜図６Ｆは、表示装置３０の表示画面を示す。図６Ａ〜図６Ｆにおいて、縦方向は音高を示し、横方向は時間を示している。図６Ａ〜図６Ｆにおいて示した各種表示のうち、実際の表示画面において表示されるものは、少なくともガイドメロディ画像Ｚ１、ガイドメロディ画像Ｚ２、歌唱軌跡Ｔ、及びスクロールバーＢである。一方、その他の表示（たとえば、各ノートの基準ピッチ）を併せて表示してもよい。
【００３８】
まず、表示調整部３００は、表示制御部２００に対し、（１）ある楽曲に含まれる第１ノートの基準ピッチと当該第１ノートの次のノートである第２ノートの基準ピッチが異なり、（２）当該第２ノートの発音開始タイミング後に最初に算出した第１の時点の歌唱平均ピッチが第１ノートの基準ピッチと同一であり、且つ（３）第１ノートにおける歌唱音声と第２ノートにおける歌唱音声とに変化がないと判断した場合、第２ノートに対応する歌唱軌跡の表示を一時停止させるよう指示を行う。
【００３９】
（１）の条件における各ノートの基準ピッチは、ガイドメロディデータを参照することにより得られる。（２）の条件におけるノートの発音開始タイミングは、リファレンスデータを参照することにより得られる。（３）の条件において、第１ノートにおける歌唱音声と第２ノートにおける歌唱音声とに変化がないかどうかの判断は、歌唱音声を解析し、たとえば、第１ノートの母音を第２ノートでも引き続き発声しているかどうかを確認することにより行う。第１ノートの母音を第２ノートでも引き続き発声している場合、歌唱音声に変化がないと判断できる。逆に、歌唱平均ピッチ算出部１００が歌唱ピッチを取得できなかった場合（たとえば、子音の発音やブレスがあった場合）や、歌唱音声に含まれる倍音成分比率が変化した場合（第２ノートで発声すべき音声の母音が第１ノートの母音と異なる場合）には、歌唱音声に変化があったと判断することができる。
【００４０】
図６Ａの例において、歌唱平均ピッチ算出部１００は、区間Ｉｎにおいて歌唱ピッチを順次取得し、区間Ｉｎの歌唱平均ピッチＡＰｎ（一点鎖線部分）を算出する。なお、図６Ａにおいて、歌唱平均ピッチＡＰｎは、ノートＮ２の発音開始タイミングＶ後に最初に算出される平均ピッチに相当する。また、図６Ａにおいて、歌唱軌跡Ｔが表示されている部分については、ノートＮ１の基準ピッチＳＰ１と算出された各歌唱平均ピッチＡＰ１〜ＡＰｎ−１とが一致している。
【００４１】
この際、表示調整部３００は、（１）楽曲Ｘに含まれるノートＮ１の基準ピッチＳＰ１とノートＮ２の基準ピッチＳＰ２が異なるか（音高が異なるか）どうか、（２）ノートＮ２の発音開始タイミングＶ後に最初に算出した歌唱平均ピッチＡＰｎがノートＮ１の基準ピッチＳＰ１と同一であるか、（３）ノートＮ１における歌唱音声とノートＮ２における歌唱音声とに変化がないかを判断する。
【００４２】
（１）〜（３）全ての条件を満たすと判断した場合、表示調整部３００は、表示制御部２００に対し、ノートＮ２に対応する歌唱軌跡の表示を一時停止させるよう指示する。当該指示に応じて、表示制御部２００は、ノートＮ２に対応する歌唱軌跡の表示を一時停止する。
【００４３】
たとえば、図６Ａの場合に（１）〜（３）の全ての条件を満たすと判断された場合、表示制御部２００は、ノートＮ１の終端まで歌唱平均ピッチＡＰｎに基づいて歌唱軌跡Ｔを徐々に表示させつつ、それ以降（歌唱平均ピッチＡＰｎのうちノートＮ２に架かる部分）の歌唱軌跡の表示については一時停止する（図６Ｂ参照）。なお、歌唱軌跡の表示が一時停止された場合、それ以降に歌唱平均ピッチ算出部１００から算出される歌唱平均ピッチは、メモリ１１ｂ等の記憶装置に一時的に記憶しておく。
【００４４】
次に、表示調整部３００は、表示制御部２００に対し、第１の時点から所定時間経過までに、（４）第１の時点以降に算出される歌唱平均ピッチが、第１ノートの基準ピッチ及び第２ノートの基準ピッチを含む所定範囲内に含まれ、且つ（５）第２ノートの基準ピッチと近似する歌唱ピッチが取得されたと判断した場合、一時停止した時点から当該判断した時点までに算出された歌唱平均ピッチが第２ノートの基準ピッチと等しくなるよう歌唱軌跡の表示を再開させる指示を行う。
【００４５】
（４）の条件における第１ノートの基準ピッチ及び第２ノートの基準ピッチを含む所定範囲内とは、第１ノートの基準ピッチが第２ノートの基準ピッチより高い場合、第１ノートの基準ピッチの近似値の最大値から第２ノートの基準ピッチの近似値の最小値の範囲であり、また、第１ノートの基準ピッチが第２ノートの基準ピッチより低い場合、第１ノートの基準ピッチの近似値の最小値から第２ノートの基準ピッチの近似値の最大値の範囲である。たとえば、第１ノートの基準ピッチが６３００ｅｃｎｔ、第２ノートの基準ピッチが６１００ｃｅｎｔであり、それぞれ近似値とし±５０ｃｅｎｔが設定されているとする。この場合、所定範囲は、６３５０ｃｅｎｔ〜６０５０ｃｅｎｔとなる。また、（５）の条件における「所定時間」は、第１の時点から、第２ノートの発音終了タイミングより前において最後に歌唱平均ピッチを算出する時点までの時間である。所定時間は、最大で５００ｍｓである。なお、ノートの発音終了タイミングは、リファレンスデータを参照することにより得られる。（５）の条件における「近似」するかどうかを判断する値は、基準ピッチを中心とした一定範囲である。たとえば、基準ピッチの±５０ｃｅｎｔの範囲に歌唱ピッチが入った場合、表示調整部３００は、「近似」したと判断する。表示調整部３００は、取得された歌唱ピッチが１つでも±５０ｃｅｎｔの範囲に入った場合、（５）の条件を満たすと判断する。
【００４６】
図６Ｃの例において、歌唱平均ピッチ算出部１００は、区間Ｉｎの次の区間Ｉｎ＋１において歌唱ピッチを順次取得し、歌唱平均ピッチＡＰｎ＋１を算出するとする。この際、表示調整部３００は、第１の時点Ｐから所定時間ＴＬ経過までに、（４）第１の時点Ｐ以降に算出される歌唱平均ピッチが、ノートＮ１の基準ピッチＳＰ１及びノートＮ２の基準ピッチＳＰ２を含む所定範囲Ｗ内に含まれ、且つ（５）ノートＮ２の基準ピッチＳＰ２と近似する歌唱ピッチが取得されたかどうかを判断する。なお、（５）の条件を判断する場合、歌唱平均ピッチＡＰｎ＋１の元となった複数の歌唱ピッチのうち、１サンプルだけでも基準ピッチＳＰ２と近似していればよい。
【００４７】
（４）及び（５）の条件を満たすと判断した場合、表示調整部３００は、表示制御部２００に対し、一時停止した時点から当該判断した時点までに算出された歌唱平均ピッチがノートＮ２の基準ピッチと等しくなるよう歌唱軌跡の表示を再開させる指示を行う。具体的には、表示制御部２００は、歌唱平均ピッチＡＰｎの残りの部分（歌唱軌跡Ｔとして表示されていない部分）がノートＮ２の基準ピッチＳＰ２と等しくなるように歌唱軌跡Ｔの表示を行う（図６Ｄ参照）。
【００４８】
なお、表示調整部３００は、歌唱軌跡の表示を再開させる際、一時停止した時点から当該判断した時点までに算出された歌唱平均ピッチの歌唱軌跡の表示を一度に行うよう表示制御部２００に対して指示することができる。或いは、表示制御部３００は、通常の歌唱軌跡の表示速度よりも速い表示速度で表示するよう、表示制御部２００に対して指示することができる。
【００４９】
また、（１）〜（３）の条件を満たさない場合、表示調整部３００は、表示制御部２００に対して指示を行わない。従って、表示制御部２００は、歌唱平均ピッチ算出部１００により算出される歌唱平均ピッチに基づいて、歌唱軌跡を表示させる。また、（４）及び（５）の条件を満たさない場合、表示調整部３００は、メモリ１１ｂ等の記憶装置に一旦記憶された歌唱平均ピッチに基づく歌唱軌跡の表示を再開させるよう指示する。この場合、「タメ」の歌唱技法は用いられていないため、歌唱軌跡の表示を変える必要（歌唱平均ピッチがノートＮ２の基準ピッチと等しくなるような歌唱軌跡を表示させる必要）はない。そこで、表示制御部２００は、一時停止した時点から所定時間ＴＬまでに算出された歌唱平均ピッチに基づく歌唱軌跡をそのまま表示させる。たとえば、区間Ｉｎ＋１において算出された歌唱平均ピッチＡＰｎ＋１が所定範囲Ｗを越えていたとする（図６Ｅ参照）。この場合、表示制御部２００は、歌唱平均ピッチＡＰｎの残りの部分（歌唱軌跡Ｔとして表示されていない部分）に基づいて、そのままの歌唱軌跡Ｔを表示させる（図６Ｆ参照）。
【００５０】
＝＝カラオケ装置における処理＝＝
次に、図７Ａ及び図７Ｂを参照して本実施形態に係るカラオケ装置１における処理の具体例について述べる。図７Ａ及び図７Ｂは、カラオケ装置１における処理例を示すフローチャートである。
【００５１】
カラオケ装置１は、歌唱者が選曲した楽曲Ｘに対応する楽曲データを記憶部１３から読み出し、カラオケ演奏を開始する（カラオケ演奏の開始。ステップ１０）。
【００５２】
表示制御部２００は、楽曲Ｘのガイドメロディデータを記憶部１３から読み出す。そして、表示制御部２００は、ステップ１０のカラオケ演奏に合わせて、ガイドメロディデータに基づくガイドメロディ画像を生成し、ノート毎に表示装置３０の表示画面に表示させる（ガイドメロディ画像の表示。ステップ１１）。歌唱者は、ガイドメロディ画像を参照しながら、カラオケ演奏に合わせてカラオケ歌唱を行う。
【００５３】
歌唱平均ピッチ算出部１００は、カラオケ歌唱により得られる歌唱音声から所定時間毎に歌唱ピッチを取得し、取得した当該歌唱ピッチを所定数毎に平均した歌唱平均ピッチを算出する（歌唱平均ピッチの算出。ステップ１２）。また、表示制御部２００は、算出した歌唱平均ピッチに基づいて、当該歌唱平均ピッチの時間的な変化を示す歌唱軌跡を表示装置３０の表示画面に表示させる（歌唱軌跡の表示。ステップ１３）。
【００５４】
ここで、（１）楽曲Ｘに含まれるノートＮ１の基準ピッチとノートＮ１の次のノートであるノートＮ２の基準ピッチが異なり、（２）ノートＮ２の発音開始タイミング後に最初に算出した第１の時点の歌唱平均ピッチがノートＮ１の基準ピッチと同一であり、（３）ノートＮ１における歌唱音声とノートＮ２における歌唱音声とに変化がないと判断した場合（ステップ１４でＹの場合）、表示調整部３００は、表示制御部２００に対し、ノートＮ２に対応する歌唱軌跡の表示を一時停止させる（歌唱軌跡の表示を一時停止。ステップ１５）。一方、（１）〜（３）の条件のうちいずれか一つでも満たさない場合（ステップ１４でＮの場合）、表示制御部２００は、引き続き歌唱軌跡を表示させる。
【００５５】
次に、第１の時点から所定時間経過までに、（４）第１の時点以降に算出される歌唱平均ピッチが、ノートＮ１の基準ピッチ及びノートＮ２の基準ピッチを含む所定範囲内に含まれ、且つ（５）ノートＮ２の基準ピッチと近似する歌唱ピッチが取得されたと判断した場合（ステップ１６でＹの場合）、表示調整部３００は、一時停止した時点から当該判断した時点までに算出された歌唱平均ピッチがノートＮ２の基準ピッチと等しくなるよう変更したうえで、歌唱軌跡の表示を再開させる（歌唱軌跡を変更して表示を再開。ステップ１７）。一方、（４）または（５）の条件のいずれか一方を満たさない場合（ステップ１６でＮの場合）、表示制御部２００は、一時停止した時点から当該判断した時点までに算出された歌唱平均ピッチに基づく歌唱軌跡をそのまま再開させる（歌唱軌跡の表示をそのまま再開。ステップ１８）。
【００５６】
カラオケ装置１は、上述の処理を楽曲Ｘのカラオケ歌唱が終了するまで（ステップ１９でＹの場合）繰り返し行う。
【００５７】
このように本実施形態に係るカラオケ装置１は、楽曲のカラオケ歌唱により得られる歌唱音声から所定時間毎に歌唱ピッチを取得し、取得した当該歌唱ピッチを所定数毎に平均した歌唱平均ピッチを算出する歌唱平均ピッチ算出部１００と、算出した歌唱平均ピッチに基づいて、当該歌唱平均ピッチの時間的な変化を示す歌唱軌跡を表示させる表示制御部２００と、表示制御部２００に対し、（１）ある楽曲に含まれる第１ノート（ノートＮ１）の基準ピッチと当該第１ノートの次のノートである第２ノート（ノートＮ２）の基準ピッチが異なり、（２）当該第２ノートの発音開始タイミング後に最初に算出した第１の時点の歌唱平均ピッチが第１ノートの基準ピッチと同一であり、且つ（３）第１ノートにおける歌唱音声と第２ノートにおける歌唱音声とに変化がないと判断した場合、第２ノートに対応する歌唱軌跡の表示を一時停止させ、第１の時点から所定時間経過までに、（４）第１の時点以降に算出される歌唱平均ピッチが、第１ノートの基準ピッチ及び第２ノートの基準ピッチを含む所定範囲内に含まれ、且つ（５）第２ノートの基準ピッチと近似する歌唱ピッチが取得されたと判断した場合、一時停止した時点から当該判断した時点までに算出された歌唱平均ピッチが第２ノートの基準ピッチと等しくなるよう歌唱軌跡の表示を再開させる指示を行う表示調整部３００とを有する。
【００５８】
このようなカラオケ装置１によれば、（１）〜（５）の条件を満たすと判断した場合には、「タメ」の歌唱技法が用いられているとして、歌唱軌跡の表示を調整することができる。従って、ガイドメロディ画像と歌唱軌跡にずれが生じることがないため、歌唱者や聴衆に対し、聴感上は上手く聞こえるが、視覚的には上手く歌えていないように表示されるといった違和感を与えることがない。すなわち、本実施形態に係るカラオケ装置１によれば、「タメ」の歌唱技法を考慮した歌唱軌跡を表示できる。
【００５９】
また、本実施形態に係るカラオケ装置１の表示調整部３００は、表示制御部２００に対し、歌唱軌跡の表示を再開させる際、一時停止した時点から当該判断した時点までに算出された歌唱平均ピッチの歌唱軌跡の表示を一度に行うよう指示を行い、または通常の歌唱軌跡の表示速度よりも速い表示速度で表示するよう指示を行うことができる。このようなカラオケ装置１によれば、歌唱軌跡の表示を一時停止させたとしても全体としてスムーズに歌唱軌跡を表示させることができる。
【００６０】
なお、カラオケ装置１は、カラオケ歌唱を採点する採点機能を備えていてもよい。この場合、「タメ」の歌唱技法を考慮した採点手法として公知の手法（たとえば特開２００５−１０７３３０号公報）を用いることができる。
【００６１】
具体的には、カラオケ演奏に合わせて得られる歌唱音声データと、カラオケ演奏に並行して読み出されるリファレンスデータとを比較するにあたり、採点対象となるノートを含む所定区間の歌唱音声データとリファレンスデータとを時間軸方向に相互にずらして、その相互相関が最大となる位置を割り出し、その位置で採点対象のノートとリファレンスデータとの比較を行うことにより、歌唱者が「タメ」の歌唱技法を用いて歌唱した場合でも、その巧拙を正確に判定できる。
【００６２】
しかし、このような採点機能を用いた場合に、従来のような歌唱軌跡の表示を行うと、歌唱軌跡とガイドメロディ画像とのずれが大きいにも関わらず採点値は「タメ」の歌唱技法が考慮されているため高得点となる。従って、歌唱者や聴衆は採点結果に対して違和感を持つこととなる。しかし、本実施形態に係るカラオケ装置１により、「タメ」の歌唱技法を考慮した歌唱軌跡を表示させることで、そのような違和感を低減することができる。また、採点結果の信憑性（採点機能の正確性）も高めることができる。
【００６３】
＜その他＞
表示制御部２００は、図５Ａ〜図６Ｆに示した表示画面において、ガイドメロディ画像や歌唱軌跡だけでなく、歌詞テロップデータに基づく歌詞や背景画像をガイドメロディ画像や歌唱軌跡と併せて表示させることも可能である。
【００６４】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００６５】
１  カラオケ装置
１００  歌唱平均ピッチ算出部
２００  表示制御部
３００  表示調整部
【図１】
2019066555.tif 000003
【図２】
2019066555.tif 000004
【図３】
2019066555.tif 000005
【図４】
2019066555.tif 000006
【図５Ａ】
2019066555.tif 000007
【図５Ｂ】
2019066555.tif 000008
【図５Ｃ】
2019066555.tif 000009
【図６Ａ】
2019066555.tif 000010
【図６Ｂ】
2019066555.tif 000011
【図６Ｃ】
2019066555.tif 000012
【図６Ｄ】
2019066555.tif 000013
【図６Ｅ】
2019066555.tif 000014
【図６Ｆ】
2019066555.tif 000015
【図７Ａ】
2019066555.tif 000016
【図７Ｂ】
2019066555.tif 000017
【図８】
2019066555.tif 000018